(57)【特許請求の範囲】
【請求項１】
吸引口より集塵室内に吸い込んだ含塵空気をフイルターで濾過する濾過機能と、フイルターに付着したダストを下側に設けたダストバケットに払い落す除塵機能を備えた集塵装置であって、
上記フイルターを取付けた集塵室の一側壁を成す壁板を取外し自在に構成して、この壁板に代えて、少くとも一部を透明な板又はシートで造った清掃用壁板を交換して取付けることができるように構成すると共に、該清掃用壁板の透明な板又はシート部分には、フイルター清掃用エアーガンのノズルを挿入して操作できるように、弾性部材を略筒状に丸めて形成した上下又は左右一対の筒状体を、互いにその稜線を弾性的に押圧接触させることによって構成したスリット構造のノズル挿入部を設けたことを特徴とするフイルター清掃機能付き集塵装置。
【請求項２】
フイルター清掃用エアーガンのノズルを、ノズル挿入部より集塵室の内部に挿入可能な略直線状及び略フック状に形成して、これ等直線状及びフック状に形成したノズルの先端部分にエアー噴射孔を設けたことを特徴とする請求項１記載のフイルター清掃機能付き集塵装置。
【発明の詳細な説明】
【０００１】
【発明の属する技術分野】
本発明は、含塵気流を濾過するフイルターを清掃することができるフイルター清掃機能を備えた集塵装置に関するものである。
【０００２】
【従来の技術】
例えば、特開昭６３−２０９７２１号公報の第１図に見られるように、集塵室の内部に複数本のフイルターを吊下げた構造の集塵装置では、集塵運転を進めるうちに粉塵でフイルターに目詰りが生じる。この様な目詰りのうち、初期的な目詰りは、装置内部に設けた逆洗装置（除塵装置）が各フイルターの内部に圧縮空気をパルス状態に噴射することにより、その噴射圧力によってフイルターに付着している粉塵を下方に設けたダストバケットに払い落して、目詰りを解消することができる。
【０００３】
しかし、フイルターに付着している粉塵にヒュームや油分が混ざっていると、これ等ヒュームや油分が粉塵と共にフイルターにこびり着いてしまって、上述したパルスジェット式除塵装置を用いてフイルター内部に圧縮空気を吹き込んでも、上記こびり着いた粉塵を払い落すことができず、フイルターの圧損が増大してしまう問題があった。
【０００４】
【発明が解決しようとする課題】
そこで従来は、上記粉塵がこびり着いたフイルターを集塵室から取外して代りのものと交換すると共に、集塵室から取外した汚れたフイルターを集塵装置とは別のクリーニング装置で洗浄して汚れを落していたが、しかし、上記のようにフイルターを交換してクリーニングする方法は、集塵装置とは別に専用のクリーニング装置が必要になり、加えて、交換用のフイルターも必要になるため、コストが大幅に嵩んでしまう問題があり、加えて、汚れたフイルターを集塵室から取外してわざわざクリーニング装置まで運んでクリーニング作業する必要があるため、作業が非常に煩雑化する問題があった。更に、フイルターから洗浄によって洗い落されたダスト類は、そのまま廃棄すると各種の弊害を招く問題もあつて、改めて除塵ダスト類の処理を行わなくてはならないため、手間と費用が掛る問題もあった。
【０００５】
従って本発明の技術的課題は、フイルターにこびり着いているヒュームや油分等が混ざっている粉塵を、フイルターを集塵装置から取外すことなく、集塵室内に吊下げた状態のまま簡単に、且つ、きれいに払い落して清掃できるように工夫したフイルター清掃機能付き集塵装置を提供することである。
【０００６】
【課題を解決するための手段】
（１）  上記の技術的課題を解決するために、本発明では前記請求項１に記載の如く、吸引口より集塵室内に吸い込んだ含塵空気をフイルターで濾過する濾過機能と、フイルターに付着したダストを下側に設けたダストバケットに払い落す除塵機能を備えた集塵装置であって、上記フイルターを取付けた集塵室の一側壁を成す壁板を取外し自在に構成して、この壁板に代えて、少くとも一部を透明な板又はシートで造った清掃用壁板を交換して取付けることができるように構成すると共に、該清掃用壁板の透明な板又はシート部分には、フイルター清掃用エアーガンのノズルを挿入して操作できるように、弾性部材を略筒状に丸めて形成した上下又は左右一対の筒状体を、互いにその稜線を弾性的に押圧接触させることによって構成したスリット構造のノズル挿入部を設けるように構成している。
【０００７】
（２）  更に本発明によれば、前記請求項２に記載の如く、フイルター清掃用エアーガンのノズルを、ノズル挿入部より集塵室の内部に挿入可能な略直線状及び略フック状に形成して、これ等直線状及びフック状に形成したノズルの先端部分にエアー噴射孔を設けるように構成している。
【０００８】
上記（１）で述べた手段によれば、集塵室の一側壁を清掃用壁板に交換し、この清掃用壁板のノズル挿入部より清掃用エアーガンのノズルを挿入して、フイルターに高圧エアーを吹き付けることによって、フイルターにこびり着いているヒュームや油分等が混ざっている粉塵を剥離しながら払い落すことができるものであって、フイルターをわざわざ集塵室内から取外し、これをクリーニング装置まで持ち運んで洗浄する手間が省けると共に、フイルター用クリーニング装置を別に準備したり、交換用のフイルター（スペアーフイルター）を別に用意する必要がないため、少いコストで面倒なフイルターの清掃を簡単に行うことができ、更に、高圧エアーの吹き付けによってフイルターから剥離されたダストを、底面側に設けたダストバケットに落下させて回収できるため、ダスト塊を改めて処理する手間も省くことを可能にする。
【０００９】
また、上記（１）で述べた手段によれば、清掃用エアーガンのノズルによるフイルターの清掃作業を、少くとも一部を透明に造った清掃用壁板を透して、集塵室の外部から目視確認しながら進めることができるため、フイルターの清掃をより確実に行うことを可能にする。
【００１０】
更に、上記（１）で述べた手段によれば、清掃用エアーガンのノズルを挿入するノズル挿入部をスリット構造に造ることにより、このスリットに沿ってノズルを移動しながらフイルターを清掃することができるため、エアーガンの位置や向きを自在に操作して、フイルターに対して高圧エアーを思い通りに吹き付けて清掃することができるものであって、面倒なフイルターの清掃を比較的容易に、且つ、確実に行うことができると共に、上記ノズルを挿入したスリット構造のノズル挿入部は、弾性によってスリットを常時閉じる方向に弾圧されているため、ノズルを挿入して操作している最中にスリットからエアー漏れが生じることがなく、従って、高圧エアーや剥離したダスト類をスリットから集塵室の外部に吹き出すことなく、安全に且つ衛生的に清掃作業を進めることを可能にする。
【００１１】
上記（２）で述べた手段によれば、直線状及びフック状に形成したフイルター清掃用エアーガンのノズルを適宜交換して使用することによって、フイルターの正面は元より、その側面や背面側まで高圧エアーを吹き付けて、フイルターの全体をきれいに清掃することを可能にする。
【００１２】
以上の如くであるから、上記（１）と（２）の手段によって上述した技術的課題を解決して、前記従来の技術の問題点を解消することができる。
【００１３】
【発明の実施の形態】
以下に、本発明に係る集塵装置用フイルター清掃方法及びフイルター清掃機能付き集塵装置の実施の形態を図面と共に説明すると、図１本発明を実施する集塵装置の一例を示した一部破断斜視図であって、図中、符号１で全体的に示したのは集塵装置の機体で、この機体１の内部は２枚の仕切板２と３によって下側から上側に向けて集塵室１Ｘ（フイルター室）と、除塵室１Ｙと、清浄室１Ｚに仕切られていて、集塵室１Ｘの外側面には含塵空気の吸引パイプ１Ａが接続され、清浄室１Ｚの天井面には濾過された清浄空気の排気口１Ｂが設けられている。
【００１４】
４…は上記集塵室１Ｘ内に設けたフイルター、５は集塵室１Ｘの内底部に引出自在に設けたダストバケット、５Ａはこのバケット５の取り出し扉で、５Ｔ，５Ｔはその締付具、１０は集塵室１Ｘの一側壁を構成する壁板、１０Ｔ…はこの壁板１０の締付具であって、壁板１０は締付具１０Ｔ…を外すことによって集塵室１Ｘの一側から自由に取外すことができるが、図示のような通常運転時（集塵運転時）には、壁板１０がエアー漏れを発生しないように締付具１０Ｔ…によってしっかり集塵室１Ｘの一側に取付けられて、集塵室１Ｘを密閉状態に維持している。
【００１５】
２Ａ…は上記の仕切板２に各フイルター毎に設けた濾過空気の流通口を兼ねるベンチュリーで、フイルター４に付着したダストを下側のダストバケット５に払い落す除塵運転時には、除塵室１Ｙに設けたブローチユーブ７より、高圧エアーがこれ等各ベンチュリー２Ａ…を通して各フイルター４…内に吹き込まれる仕組に成っている。また、６は前記清浄室１Ｚ内に設けた吸引用フアン、６Ｍはこのフアン６を回転するモータであって、吸引用フアン６の回転による吸引作用によって吸引パイプ１Ａを通して集塵室１Ｘに吸引された含塵空気が、上記フイルター４…によって濾過されて清浄化され、その清浄空気が除塵室１Ｙ及び清浄室１Ｚを通って排気口１Ｂから排出される仕組に成っている。
【００１６】
本発明は以上述べた如き構成の集塵装置に実施されるものであるが、集塵装置が図示した構造にのみ限定されないことは勿論である。図２と図７は本発明の実施例を示したものであって、図１に示した集塵運転によってフイルター４…にダストが付着した場合、そのダストが通常の粉塵で初期的な目詰りである場合には、前述した除塵運転を行って、ブローチューブ７よりベンチュリー２Ａ…を通して各フイルター４…内に除塵用の高圧エアーを吹き込み、付着している粉塵をフイルター４…から払い落して下側のダストバケット５に回収するが、フイルター４に付着しているダストがこの除塵運転では払い落すことのできない粉塵である場合、即ち、粉塵にヒュームや油分が混ざっていて、これがフイルター４にこびり着いているような場合は、本発明の清掃方法及び清掃機能を用いて、これ等こびり着いている粉塵をクリーニングする仕組に成っている。
【００１７】
図２と図７に於いて、２０及び３０は上記のクリーニング時に前述した壁板１０に代えて集塵室１Ｘの一側に取付ける清掃用壁板であって、いずれの清掃用壁板２０，３０にも、外部よりフイルター清掃用エアーガンのノズル２３を集塵室１Ｘの内部に挿入して、フイルター４…にこびり着いている粉塵を、ノズル２３から噴射される高圧エアーでフイルター面から剥離することができるノズル挿入部２１Ｈ及び３１Ｈが形成されている。また、図中２０Ｔ…と３０Ｔ…は各壁板２０，３０取付用の締付具を示す。
【００１８】
更に上記清掃用壁板２０と３０の構成を詳しく説明すると、図２に示した清掃用壁板２０は、上記ノズル挿入部２１Ｈをスリット状に形成していて、このノズル挿入部２１Ｈより挿入したノズル２３をスリットに沿って移動しながら、内部のフイルター４…をクリーニングできるように構成されており、更に、集塵室１Ｘ内に於けるこのクリーニングの状態を外部から目視確認できるように、上記ノズル挿入部２１Ｈの周辺部分を例えばアクリル板のような透明な板を用いて構成すると共に、集塵室１Ｘ内からのエアー漏れを防止するために、上記スリット状のノズル挿入部２１Ｈを常時弾性的に閉じるように構成されている。
【００１９】
即ち、図２に於いて２２，２２は上記清掃用壁板２０の一部を構成する上下の透明板、２１，２１は例えばゴム材のような弾性板材を断面略円筒状に丸めて形成した上下一対の筒状体で、これ等上下の筒状体２１，２１は、図３の断面図に示す如く上下の透明板２２，２２の相対向する先端部の内側面に、その根端部２１Ａ，２１Ａを押え板２２Ａ，２２Ａと止めネジや止め金具等の固定手段２４，２４を用いて取付られている。尚、上記筒状体２１，２１の取付けに当っては、互いの弾性作用によって互いの稜線が弾性的に接触するように、つまり、スリット状のノズル挿入部２１Ｈが常時弾性的に閉じる状態を維持するように取付けられていて、図４及び図５に示す如くこのノズル挿入部２１Ｈに前記のノズル２３を挿入してクリーニングする時に、エアー漏れが出来るだけ少く成るように工夫している。
【００２０】
また、以上の如くスリット状のノズル挿入部２１Ｈに挿入されたノズル２３は、スリットに沿って自由に横移動することができ、更に、図６に示す如く上下にも自由に角度を変えることができるため、後述するノズル２３の各種形状と相俟って、集塵室１Ｘ内の各フイルター４…の全体を、表裏及び上下の区別なく隈無くきれいにクリーニングすることができる。
【００２１】
尚、図２及び図５、図６には、スリット状のノズル挿入部２１Ｈを清掃用壁板２０に対して横向きに設けたものが記載されているが、このスリットの向きは縦でも斜めであってもよく、その方向は任意とする。
【００２２】
図７は、フイルター清掃用エアーガンのノズル２３の構成を示した斜視図であって、ノズル２３には図示したように直線状のノズル２３Ａや、先端部を少しＬ字状に屈曲したフック状のノズル２３Ｂ、或は、先端部を大きく湾曲させたフツク状のノズル２３Ｃ等、各種形状のものが存在し、これ等複数種のノズル２３Ａ〜２３Ｃを予め用意しておいて、フイルター４の位置や清掃箇所等に応じて、図８の（イ）図や（ロ）図に示す如く適宜交換して使用する。
【００２３】
図７に於いて、４１は各種のノズルを交換して取付ることができるエアーガン、４０は高圧エアーの供給ホース、２３Ａ′，２３Ｂ′，２３Ｃ′は各ノズル２３Ａ，２３Ｂ，２３Ｃの先端部分（先端部近傍）に設けたエアー噴射孔を示し、また、図８はこれ等各ノズル２３Ａ，２３Ｂ，２３Ｃの使用状況の説明図である。尚、図７及び図８に示されているノズル２３Ａ〜２３Ｃは実施の一例であって、ノズル２３の形態が図示のものにのみ限定されないことは勿論である。更に、図示はしていないがこれ等各ノズル２３Ａ〜２３Ｃは、前記図２乃至図６に示したスリット状のノズル挿入部２１Ｈに挿入して使用可能であることは勿論である。
【００２４】
本発明は以上述べた如き構成であるから、フイルター４にヒュームや油分等が混ざった粉塵がこびり着いて目詰りした場合には、図１に示した通常運転用の壁板１０を取外して、図２に示した清掃用壁板２０を代りに集塵室１Ｘの一側壁部分に取付けて、清掃用壁板２０に設けたスリット状のノズル挿入部２１Ｈから、フイルター清掃用エアーガン４１のノズル２３（具体的にはノズル２３Ａ〜２３Ｃのいずれか）を挿入して、フイルター４に高圧エアーを直接吹き付ければ、フイルター４にこびり着いた粉塵を剥離して下方のダストバケット５に払い落すことができる。
【００２５】
また、この高圧エアーの噴射による清掃作業は、透明板２２，２２を透して外部より目視確認することができるため、各種形状のノズル２３Ａ〜２３Ｃを交換して使用できる点、並びに、各ノズル２３Ａ〜２３Ｃを上下左右に自由に操作できる点と相俟って、集塵室１Ｘ内に設けたフイルター４のあらゆる面に確実に高圧エアーを吹き付けてクリーニングすることができる。
【００２６】
【発明の効果】
本発明に係るフイルター清掃機能付き集塵装置は以上述べた如くであって、集塵装置の外部から内部のフイルターをクリーニングできるため、フイルターにこびり着いているヒュームや油等が混ざっている粉塵を除去する場合に、いちいち集塵装置の内部からフイルターを取り外したり、取り外したフイルターをクリーニング装置まで運んだりする手間を省くことができるものであって、フイルターの清掃を簡単に行える利点を備えると共に、フイルターを清掃する専用のクリーニング装置やスペアー用のフイルターを別に用意する必要がなく、更に、集塵装置の構造をわざわざ特別な仕様にする必要もなくて、清掃用の壁板を準備してこれを交換するだけで済むため、面倒なフイルターの清掃を比較的低コストにて実現できる経済的利点も備えるものであって、各種構造の集塵装置に実施して洵に好適なものである。
【図面の簡単な説明】
【図１】   本発明が実施される集塵装置の通常運転時の状態を説明した一部破断斜視図である。
【図２】   ノズル挿入部をスリット状に造った本発明を実施した集塵装置のクリーニング時の状態を説明した一部断斜視図である。
【図３】   スリット構造に構成したノズル挿入部を拡大して示した側断面図である。
【図４】   図３に示したスリット構造のノズル挿入部にノズルを挿入した状態を示した側断面図である。
【図５】   図４に示したノズルの挿入状態を集塵装置の外側から見た正面図である。
【図６】   挿入したノズルの操作の状態を説明した側断面図である。
【図７】   本発明で使用するノズルとエアーガンの構成を説明した斜視図である。
【図８】   （イ）図、（ロ）図、（ハ）図はフイルターに対する各ノズルの使用状用を説明した説明図である。
【符号の説明】
１              集塵装置の機体
１Ｘ            集塵室
４              フイルター
５              ダストバケット
１０            壁板
２０            清掃用壁板
２１            筒状体
２１Ｈ          スリット構造のノズル挿入部
２２            透明な板
２３，２３Ａ，２３Ｂ，２３Ｃ            ノズル
２３Ａ′，２３Ｂ′，２３Ｃ′            エアー噴射口
３０            清掃用壁板
【図１】
0003681650.tif 000002
【図２】
0003681650.tif 000003
【図３】
0003681650.tif 000004
【図４】
0003681650.tif 000005
【図５】
0003681650.tif 000006
【図６】
0003681650.tif 000007
【図７】
0003681650.tif 000008
【図８】
0003681650.tif 000009